(57)【要約】      （修正有）【課題】入力される番組素材のフォーマットを自動的に判断し、フォーマット交換ができるノンリニア放送システムおよびそれに用いる変換装置を提供する。【解決手段】少なくとも２種類の異なる第１と第２のフォーマットからなる映像素材のいずれかが入力される入力部と、上記入力された映像素材から映像信号と音声信号とを分離するデマルチプレクサ部と、上記デマルチプレクサ部で分離された音声信号に所定の音声信号処理をするマッピング処理部と、デマルチプレクサ部で分離された映像信号とマッピング処理部から出力される音声信号を多重化する多重化部と、上記多重化部から出力される映像素材のフォーマットに従い所定の変換を行うように構成される。【選択図】図１
2006203738.tif 000002
【特許請求の範囲】
【請求項１】
少なくとも２種類の異なる第１と第２のフォーマットからなる映像素材のいずれかが入力される入力部と、上記入力された映像素材から映像信号と音声信号とを分離するデマルチプレクサ部と、上記第１と第２のフォーマットからなる映像素材のいずれのフォーマットの映像素材かを検出する検出部と、上記検出部の出力が供給され、上記デマルチプレクサ部を上記検出部で検出されたフォーマットに基いて制御する制御部と、上記デマルチプレクサ部で分離された音声信号に所定の音声信号処理をするマッピング処理部と、上記デマルチプレクサ部で分離された映像信号と上記マッピング処理部から出力される音声信号を多重化するために、上記制御部で制御される多重化部と、上記多重化部から出力される映像素材のフォーマットに従い所定の変換を行う変換部とからなることを特徴とするノンリニア放送システムに用いる変換装置。
【請求項２】
請求項１記載のノンリニア放送システムに用いる変換装置において、上記第１のフォーマットの映像素材は、ＨＤ−ＳＤＩフォーマットの映像素材であり、上記第２のフォーマットの映像素材は、ＳＤ−ＳＤＩフォーマットの映像素材であることを特徴とするノンリニア放送システムに用いる変換装置。
【請求項３】
少なくとも２種類の異なる第１と第２のフォーマットからなる映像素材が供給される入力部と、上記第１と第２のフォーマットのいずれか一方の映像素材を選択する選択部と、上記選択部で選択された上記映像素材が入力され、上記入力された映像素材から映像信号と音声信号とを分離するデマルチプレクサ部と、上記選択部で選択された映像素材がいずれのフォーマットの映像素材かを検出する検出部と、上記検出部の出力が供給され、上記デマルチプレクサ部を上記検出部で検出されたフォーマットに基いて制御する制御部と、上記デマルチプレクサ部で分離された音声信号に所定の音声信号処理をするマッピング処理部と、上記デマルチプレクサ部で分離された映像信号と上記マッピング処理部から出力される音声信号を多重化するために、上記制御部で制御される多重化部と、上記多重化部から出力される映像素材のフォーマットに従い所定の変換を行う変換部と、上記第１または第２のフォーマットの映像素材および上記変換部から出力される上記第１または第２のフォーマットの映像素材をそれぞれ蓄積するビデオサーバーと、上記ビデオサーバーに蓄積されている上記第１および第２のフォーマットの映像素材を選択して出力する出力部とを有することを特徴とするノンリニア放送システム。
【発明の詳細な説明】
【技術分野】
【０００１】
本発明は、ノンリニア放送システムおよびそれに用いる変換装置に関し、特に、ＨＤ（High Definition）ＴＶフォーマットとＳＤ（Standard Definition）ＴＶフォーマットを相互に変換できるノンリニア放送システムおよびそれに用いる変換装置に関するものである。
【背景技術】
【０００２】
近年、テレビジョン放送システムのディジタル化が急速に発展し、従来のＶＴＲ(ビデオテープレコーダ)を用いて放送業務を行う放送システム、いわゆるＶＴＲ放送システムに代えて、ノンリニア放送システムと呼ばれるシステムが、放送業務用として使用され始めてきている。
【０００３】
このノンリニア放送システムは、複数の番組素材を、ランダムアクセスが可能な記憶装置、例えば、ＨＤＤ（ハードデスク）、ＤＶＤ（Digital Versatile Disc）あるいは光ディスク等に予め記録しておく。そして、自動放送システムからの指示により、順次、放送スケジュールに従って、記憶装置から各番組素材を選択して読出すことにより、複数の番組素材が所定の順序で時系列的に並んだ放送プログラムとして組立てられ、これを放送するようにしたシステムである。このようなシステムを、以下、ノンリニア放送システムと呼び、番組素材とは、映像情報や音声情報を含むテレビジョン放送用の情報であり、番組素材の集合が番組となる。なお、この番組素材とは、ドラマ、ニュース、音楽、ＣＭ（Commercial）等の素材を含み、また、放送素材と呼ばれる場合もある。
【０００４】
而して、現在のテレビション方式は、ＮＴＳＣ方式、所謂、標準テレビション方式（ＳＤＴＶ）と地上波デジタル放送用のＨＤＴＶ方式があり、これらが混在して放送されているのが現状である。従って、番組素材をノンリニア放送システムのビデオサーバーに蓄積する（ファイリングする）場合、番組素材のフォーマットには、ＨＤ−ＳＤＩ（（High Definition-Serial Digital interface）とＳＤ−ＳＤＩ（Standard Definition Serial Digital interface）の２種類のフォーマットが混在することとなる。ＳＤ−ＳＤＩフォーマットは、従来のアナログテレビ（ＮＴＳＣ方式）に対応したフォーマットであり、ＨＤ−ＳＤＩは、ハイビジョン放送方式とよばれ、地上波デジタル放送向けの高画質、高音質を特徴とするフォーマットである。
【０００５】
そして、ノンリニア放送システムのビデオサーバーに蓄積される。即ち、放送のために放送局に持ち込まれる番組素材は、ＨＤもしくはＳＤのどちらか一方のフォーマットで作成されたＶＴＲ用テープ、ＤＶＤディスクあるいは光ディスクで納入されるか、直接通信用伝送路を介して納入される。従って、放送局のノンリニア放送システムでは、アナログ放送向けとデジタル放送向けの両方を同時に送出するためには、ＨＤフォーマットの番組素材をＳＤフォーマットの番組素材に変換する、あるいは、ＳＤフォーマットの番組素材をＨＤフォーマットの番組素材に変換してノンリニア放送システムのビデオサーバーに蓄積する必要がある。
【０００６】
しかしながらＨＤ−ＳＤＩ方式と、ＳＤ−ＳＤＩ方式では、走査線、画素数および音声チャンネル数等が異なるため、方式変換が必要である。例えば、音声について説明するとＨＤ−ＳＤＩ方式では、８ＣＨ（Channel）（最大１６ＣＨ）で構成されるが、ＳＤ−ＳＤＩ方式では、２ＣＨ（最大４ＣＨ）で構成されている。特に、ＨＤ−ＳＤＩ方式では、５．１ＣＨサラウンド（これについては後述する。）等、多数のチャネルを用いた番組素材が多く存在する。その結果、番組素材のフォーマットの変換を行う際には、多数のチャネル音声の中から２ＣＨ分の選択、所謂、音声マッピングや５．１ＣＨサラウンドの２ＣＨへの変換といった方式変換処理が必要となる。以下、従来のノンリニア放送システムについて図４、図５を用いて説明する。なお、ＨＤ−ＳＤＩ方式のフォーマットについては、ＡＥＳ−３  １９９２年  ２チャンネル直線量子化デジタルオーディオデータのシリアル伝送規格（非特許文献１参照）、ＡＲＩＢ  ＳＴＤ  ＢＴＡ  Ｓ−００５Ｂ（非特許文献２参照）およびＡＲＩＢ  ＳＴＤ  ＢＴＡ  Ｓ−００６Ｂ（非特許文献３参照）で定められ、また、ＳＤ−ＳＤＩ方式のフォーマットについては、ＡＲＩＢ  ＳＴＤ  ＢＴＡ  Ｆ−１００２（非特許文献４参照）に記載されているので、詳細な説明は省略する。
【０００７】
図４は、従来のノンリニア放送システムの概略構成を示すブロック図である。図４において、４０１−１、４０１−２は、例えば、番組素材を記録したＶＴＲ（ビデオテープレコーダ）である。なお、この例では、ＶＴＲで説明するが、ＶＴＲに限らず、ＤＶＤディスク、光ディスク等の記録装置あるいは通信用伝送路で送られてくる番組素材であっても良い。そしてＶＴＲ４０１−１、４０１−２の番組素材は、ＨＤ−ＳＤＩ方式のフォーマットとＳＤ−ＳＤＩ方式のフォーマットが混在している場合がある。本例では、例えば、ＶＴＲ４０１−１は、ＨＤ−ＳＤＩ方式のフォーマットで収録された番組素材であり、ＶＴＲ４０１−２は、ＳＤ−ＳＤＩ方式のフォーマットで収録された番組素材であるとして説明する。
【０００８】
４０２は、ＶＴＲ４０１−１、４０１−２のいずれかを選択するためのスイッチャで、制御部４０３により選択動作する。４０４は、ＨＤ／ＳＤ変換処理部であり、制御部４０３で制御される。なお、ＨＤ／ＳＤ変換処理部４０４の詳細は、図５に示されている。なお、図５において、入力端子５０１は、スイッチャ４０２からのＨＤ−ＳＤＩ方式のフォーマットの番組素材が入力され、入力端子５２０は、スイッチャ４０２からのＳＤ−ＳＤＩ方式のフォーマットの番組素材が入力される。また、出力端子５１０からの出力は、エンコーダ４０５−１に、そして出力端子５１８からの出力は、エンコーダ４０５−２にそれぞれ出力される。制御入力端子５１１は、制御部４０３からの制御信号が入力される。
【０００９】
スイッチャ４０２がＶＴＲ４０１−１の番組素材を選択すると、ＨＤ−ＳＤＩ方式のフォーマットの番組素材がＨＤ／ＳＤ変換処理部４０４に入力され、ＨＤ−ＳＤＩ方式のフォーマットの番組素材は、スイッチＳＷ５１６、出力端子５１０を介して、そのままエンコーダ４０５−１でエンコードされ、ビデオサーバー４０７のＨＤ用入力端子４０８−１から例えば、ＨＤ用記録装置４０９−１に記憶される。なお、スイッチＳＷ５１６は、制御部４０３により適宜切替られる。一方、同じＶＴＲ４０１−１の番組素材であるＨＤ−ＳＤＩ方式のフォーマットの番組素材は、音声分離および音声変換処理部５１９に入力され、ここでＨＤ−ＳＤＩフォーマットの映像信号と、８ＣＨの音声信号とに分離されると共に、８ＣＨの音声信号は、４ＣＨの音声信号に変換される。ＨＤ−ＳＤＩフォーマットの映像信号は、ＳＤフォーマット変換部５０６でＳＤ−ＳＤＩフォーマットの映像信号に変換された後、音声多重部（ＳＤ−ＭＵＸ）５０９で４ＣＨの音声信号が多重され、スイッチＳＷ５１７、出力端子５１８を介してエンコーダ４０５−２に出力される。なお、スイッチＳＷ５１７は、制御部４０３からの制御信号で適宜切替えられる。エンコーダ４０５−２への入力信号は、エンコーダ４０５−２でエンコードされ、ビデオサーバー４０７のＳＤ用入力端子４０８−２から例えば、ＳＤ用記録装置４０９−３に記憶される。
【００１０】
同様に、スイッチャ４０２がＶＴＲ４０１−２の番組素材を選択すると、ＳＤ−ＳＤＩ方式のフォーマットの番組素材がＨＤ／ＳＤ変換処理部４０４に入力され、ＳＤ−ＳＤＩ方式のフォーマットの番組素材は、そのままスイッチＳＷ５１７、出力端子５１８を介してエンコーダ４０５−２でエンコードされ、ビデオサーバー４０７のＳＤ用入力端子４０８−２から例えば、ＳＤ用記録装置４０９−３に記憶される。一方、同じＶＴＲ４０１−２の番組素材であるＳＤ−ＳＤＩ方式のフォーマットの番組素材は、音声分離および音声変換処理部５１９に入力され、ここでＳＤ−ＳＤＩフォーマットの映像信号と、４ＣＨの音声信号とに分離されると共に、４ＣＨの音声信号は、８ＣＨの音声信号に変換される。ＳＤ−ＳＤＩフォーマットの映像信号は、ＨＤフォーマット変換部５１４でＨＤ−ＳＤＩフォーマットの映像信号に変換された後、音声多重部５２１で８ＣＨの音声信号が多重され、スイッチＳＷ５１６、出力端子５１０を介してエンコーダ４０５−１に出力される。なお、スイッチＳＷ５１６は、制御部４０３からの制御信号で適宜切替えられる。この入力信号は、エンコーダ４０５−１でエンコードされ、ビデオサーバー４０７のＨＤ用入力端子４０８−１から、例えば、ＨＤ用記録装置４０９−１に記憶される。従って、ＶＴＲ４０１−１のＨＤ−ＳＤＩ方式のフォーマットの番組素材およびＶＴＲ４０１−２のＳＤ−ＳＤＩ方式のフォーマットの番組素材がそれぞれＨＤ−ＳＤＩ方式のフォーマットの番組素材とＳＤ−ＳＤＩ方式のフォーマットの番組素材の両方式の番組素材としてビデオサーバー４０７の記憶部４０９−１と４０９−３に記憶される。なお、記憶部４０９−２は、ＨＤ用記録装置４０９−１と同じ番組素材が記憶され、ノンリニア放送システムの二重系を構成している。
【００１１】
４０６は、制御部、４１０は、システムチェンジャーで、例えば、現用のハイビジョン放送がビデオサーバー４０７のＨＤ用記憶部４０９−１の番組素材を選択し、システムチェンジャー４１０を介して出力端子４１１から一般家庭に放送が行われている。しかし、何らかの原因で、現用の放送にトラブルが発生すると、制御部４０６は、システムチェンジャー４１０を制御して予備系に切替、記憶部４０９−２の番組素材を選択し、一般家庭への放送を継続するようになされている。なお、記憶部４０９−１、４０９−２、４０９−３を示しているが、これに限らず複数台の記憶部を設けることが可能である。また、記憶部は、ＶＴＲ用テープ、ＤＶＤディスク、光ディスク等でもよい。
【００１２】
４１２は、画像モニター、４１３は、オーディオモニタであり、ビデオサーバー４０７に蓄積されている番組素材の画像および音楽等をモニタできるようになされている。また、必要に応じてモニタを見ながら番組素材の編集を行うこともできる。
【００１３】
次に、図５を用いてＨＤ／ＳＤ変換処理部４０４について更に詳細に説明する。図５は、ＨＤ／ＳＤ変換処理部４０４の概略構成を示すブロック図である。図５において、入力端子５０１は、例えば、スイッチャ４０２でＨＤ−ＳＤＩ方式のフォーマットの番組素材を選択した場合の信号が入力される。即ち、本実施例では、ＶＴＲ４０１−１の番組素材が入力される。この入力されたＨＤ−ＳＤＩ方式のフォーマットの番組素材は、そのままスイッチＳＷ５１６、出力端子５１０を介してエンコーダ４０５−１に入力され、ビデオサーバー４０７のＨＤ入力端子４０８−１に供給され、ＨＤ用記憶部４０９−１に蓄積される。
【００１４】
また、入力端子５０１に供給されたＨＤ−ＳＤＩ方式のフォーマットの番組素材は、ＨＤ−ＤＭＵＸ（HD-demultiplexer）５０３に供給される。ＨＤ−ＳＤＩ方式のフォーマットは、例えば、走査線１１２５本、１６：９のＨＤ映像信号に８ＣＨ（channel）の音声信号が多重化された信号であり、この多重信号がＨＤ−ＤＭＵＸ５０３で映像信号５０４と、音声信号５０５に分離され、それぞれＳＤフォーマット変換部５０６とマッピング処理部５０７に供給される。マッピング処理部５０７では、８ＣＨ（channel）の音声信号を４ＣＨの音声信号５０８に変換し、その出力は、音声多重部５０９に供給される。なお、制御端子５１１には、制御部４０３からの制御信号が供給されるので、マッピング処理部５０７は、８ＣＨ（channel）の音声信号５０５を４ＣＨの音声信号５０８に変換するように制御される。
【００１５】
ＳＤフォーマット変換部５０６では、ＨＤ−ＳＤＩフォーマットの映像信号５０４を、例えば、走査線５２５本、４：３のＳＤ−ＳＤＩフォーマットの映像信号に変換し、音声多重部５０９、例えば、ＳＤ−ＭＵＸ（SD-multiplexer）に供給する。そして、音声多重部５０９では、ＳＤフォーマット変換部５０６でＳＤ−ＳＤＩフォーマットの映像信号に変換された映像信号と４ＣＨの音声信号５０８を多重化し、出力する。この出力は、スイッチＳＷ５１７、出力端子５１８、エンコーダ４０５−２を介してビデオサーバー４０７のＳＤ入力端子４０８−２に供給され、ＳＤ用記憶部４０９−３に蓄積される。
【００１６】
次に、入力端子５２０は、例えば、スイッチャ４０２でＳＤ−ＳＤＩ方式のフォーマットの番組素材を選択した場合の信号が入力される。即ち、本実施例では、ＶＴＲ４０１−２の番組素材が入力される。この入力されたＳＤ−ＳＤＩ方式のフォーマットの番組素材は、そのままスイッチＳＷ５１７を介して出力端子５１８から出力され、エンコーダ４０５−２でエンコードされ、ビデオサーバー４０７のＳＤ入力端子４０８−２に供給され、ＳＤ用記憶部４０９−３に蓄積される。
【００１７】
また、入力端子５２０に供給されたＳＤ−ＳＤＩ方式のフォーマットの番組素材は、ＳＤ−ＤＭＵＸ（SD-demultiplexer）５１２に供給される。ＳＤ−ＳＤＩ方式のフォーマットは、例えば、走査線５２５本、４：３のＳＤ映像信号に４ＣＨ（channel）の音声信号が多重化された信号であり、この多重信号がＳＤ−ＤＭＵＸ５１２で映像信号５１３と、音声信号５１４に分離され、それぞれＨＤ−フォーマット変換部５１４とマッピング処理部５０７に供給される。マッピング処理部５０７では、４ＣＨ（channel）の音声信号を８ＣＨの音声信号５１５に変換し、その出力は、音声多重部５２１に供給される。なお、この場合のマッピング処理部５０７の制御端子５１１には、制御部４０３からの制御信号が供給され、マッピング処理部５０７は、４ＣＨの音声信号５１４を８ＣＨの音声信号５１５に変換するように制御する。なお、マッピング処理部５０７で、４ＣＨ（channel）の音声信号を８ＣＨの音声信号５１５に変換するとして説明したが、実際は、４ＣＨの音声信号は、８ＣＨの音声信号に変換できる情報はなく、ここでは、単に、音声信号８ＣＨに４ＣＨの音声信号が乗せ替え（マッピング）されるのみである。
【００１８】
ＨＤフォーマット変換部５１４では、ＳＤ−ＳＤＩフォーマットの映像信号５１３を、例えば、走査線１１２５本、１６：９のＨＤ−ＳＤＩフォーマットの映像信号に変換し、音声多重部５２１、例えば、ＨＤ−ＭＵＸ（HD-multiplexer）に供給する。そして、音声多重部５２１では、ＨＤフォーマット変換部５１４でＨＤ−ＳＤＩフォーマットの映像信号に変換された映像信号と８ＣＨの音声信号５１５を多重化し、出力する。この出力は、スイッチＳＷ５１６、出力端子５１０、エンコーダ４０５−１を介してビデオサーバー４０７のＨＤ入力端子４０８−１に供給され、ＨＤ用記憶部４０９−１に蓄積される。
【００１９】
以上説明した従来のノンリニア放送システムでは、標準テレビション方式（ＳＤＴＶ）と地上波デジタル放送用のＨＤＴＶ方式があり、これらが混在して放送されているのが現状である。従って、番組素材をノンリニア放送システムのビデオサーバーに蓄積する場合、番組素材のフォーマットとしてＨＤ−ＳＤＩ方式とＳＤ−ＳＤＩ方式の２種類のフォーマットを用意する必要がある。そのためには、映像信号から音声信号を分離させるＤＭＵＸ（demultiplexer）および映像信号と音声信号を多重化する音声多重部がそれぞれＨＤ−ＳＤＩ用とＳＤ−ＳＤＩ用を使用する必要がある。このように音声処理を行うためだけに多くの機器を別に用意する必要があり、ノンリニア放送システムのコスト低減を阻害する要因ともなっていた。また、放送という公共性からも部品点数を少なくし、信頼性の高いノンリニア放送システムの実現が望まれている。
【００２０】
【非特許文献１】ＡＥＳ−３  １９９２年  ２チャンネル直線量子化デジタルオーディオデータのシリアル伝送規格
【非特許文献２】ＡＲＩＢ  ＳＴＤ  ＢＴＡ  Ｓ−００５Ｂ  １１２５／６０方式ＨＤＴＶビット直列インタフェースにおける補助データの共通規格
【非特許文献３】ＡＲＩＢ  ＳＴＤ  ＢＴＡ  Ｓ−００６Ｂ  １１２５／６０方式ＨＤＴＶビット直列インタフェースにおけるデジタル音声規格
【非特許文献４】ＡＲＩＢ  ＳＴＤ  ＢＴＡ  Ｆ−１００２  ディジタル映像信号の直列インターフェースにおける補助信号領域へのＡＥＳ／ＥＢＵオーディオの多重方法技術資料
【発明の開示】
【発明が解決しようとする課題】
【００２１】
従来のノンリニア放送システムでは、ＨＤ−ＳＤＩ方式とＳＤ−ＳＤＩ方式があり、これらが混在して放送されているので、番組素材をノンリニア放送システムのビデオサーバーに蓄積する場合、番組素材のフォーマットとしてＨＤ−ＳＤＩ方式とＳＤ−ＳＤＩ方式の２種類のフォーマットを用意する必要がある。そのためには、映像信号から音声信号を分離させるＤＭＵＸ（demultiplexer）および映像信号と音声信号を多重化する音声多重部がそれぞれＨＤ−ＳＤＩ用とＳＤ−ＳＤＩ用に準備する必要がある。このように音声処理を行うためだけに多くの機器を別に用意する必要があり、ノンリニア放送システムのコスト低減を阻害する要因ともなっている。また、放送という公共性からも部品点数を少なくし、信頼性の高いノンリニア放送システムの実現が望まれている。
【００２２】
本発明の目的は、信頼性の高いノンリニア放送システムおよびそれに用いる変換装置を提供することである。
【００２３】
本発明の他の目的は、入力される番組素材のフォーマットを自動的に判断し、フォーマット変換ができるノンリニア放送システムおよびそれに用いる変換装置を提供することである。
【００２４】
本発明の更に他の目的は、部品点数を少なくしたノンリニア放送システムおよびそれに用いる変換装置を提供することである。
【課題を解決するための手段】
【００２５】
本発明のノンリニア放送システムに用いる変換装置は、少なくとも２種類の異なる第１と第２のフォーマットからなる映像素材のいずれかが入力される入力部と、上記入力された映像素材から映像信号と音声信号とを分離するデマルチプレクサ部と、上記第１と第２のフォーマットからなる映像素材のいずれのフォーマットの映像素材かを検出する検出部と、上記検出部の出力が供給され、上記デマルチプレクサ部を上記検出部で検出されたフォーマットに基いて制御する制御部と、上記デマルチプレクサ部で分離された音声信号に所定の音声信号処理をするマッピング処理部と、上記デマルチプレクサ部で分離された映像信号と上記マッピング処理部から出力される音声信号を多重化するために、上記制御部で制御される多重化部と、上記多重化部から出力される映像素材のフォーマットに従い所定の変換を行うように構成される。
【００２６】
また、本発明のノンリニア放送システムに用いる変換装置において、上記第１のフォーマットの映像素材は、ＨＤ−ＳＤＩフォーマットの映像素材であり、上記第２のフォーマットの映像素材は、ＳＤ−ＳＤＩフォーマットの映像素材である。
【００２７】
また、本発明のノンリニア放送システムに用いる変換装置において、上記第１と第２のフォーマットの映像素材は、映像信号と、上記映像信号の水平ブランキング期間に音声チャネルを重畳した信号から構成され、上記第１のフォーマットの映像素材の音声信号は、８チャネルであり、上記第２のフォーマットの映像素材の音声信号は、４チャネルである。
【００２８】
更に、本発明のノンリニア放送システムは、少なくとも２種類の異なる第１と第２のフォーマットからなる映像素材が供給される入力部と、上記第１と第２のフォーマットのいずれか一方の映像素材を選択する選択部と、上記選択部で選択された上記映像素材が入力され、上記入力された映像素材から映像信号と音声信号とを分離するデマルチプレクサ部と、上記選択部で選択された映像素材がいずれのフォーマットの映像素材かを検出する検出部と、上記検出部の出力が供給され、上記デマルチプレクサ部を上記検出部で検出されたフォーマットに基いて制御する制御部と、上記デマルチプレクサ部で分離された音声信号に所定の音声信号処理をするマッピング処理部と、上記デマルチプレクサ部で分離された映像信号と上記マッピング処理部から出力される音声信号を多重化するために、上記制御部で制御される多重化部と、上記多重化部から出力される映像素材のフォーマットに従い所定の変換を行う変換部と、上記第１または第２のフォーマットの映像素材および上記変換部から出力される上記第１または第２のフォーマットの映像素材をそれぞれ蓄積するビデオサーバーと、上記ビデオサーバーに蓄積されている上記第１および第２のフォーマットの映像素材を選択して出力する出力部とを有するように構成される。
【発明の効果】
【００２９】
以上説明したように、本発明によれば、部品点数が少なく、信頼性の高いノンリニア放送システムおよびそれに用いる変換装置を実現できる。また、入力される番組素材のフォーマットを自動的に判断し、フォーマット変換ができ、番組素材の編集を容易に行うことができる。更に、チャンネル単位での音声マッピングが行えるので、放送局や放送を受信する視聴者の様々なニーズに対応する番組素材を作成することができるようになる。
【発明を実施するための最良の形態】
【００３０】
図１は、本発明の一実施例の概略構成を示すブロック図である。図１において、１０１は、番組素材を記録した記録装置、例えば、ＶＴＲ４０１−１、４０１−２を選択するスイッチャのような選択部、１０２は、ＨＤ／ＳＤ変換処理部である。１０３は、制御部であり、選択部１０１およびＨＤ／ＳＤ変換処理部１０２を制御する。なお、ＨＤ／ＳＤ変換処理部１０２の詳細は、図２に示されており、これについては後述する。なお、図４と同じものには同じ符号が付されている。そして、記録装置４０１−１、４０１−２は、ＶＴＲに限らず、ＤＶＤディスク、光ディスク等の記録装置あるいは直接通信用伝送路で送られてくる番組素材であっても良い。そしてＶＴＲ４０１−１、４０１−２の番組素材は、ＨＤ−ＳＤＩ方式のフォーマットとＳＤ−ＳＤＩ方式のフォーマットが混在している場合がある。本実施例では、図４の場合と同様に、例えば、ＶＴＲ４０１−１は、ＨＤ−ＳＤＩ方式のフォーマットで収録された番組素材であり、ＶＴＲ４０１−２は、ＳＤ−ＳＤＩ方式のフォーマットで収録された番組素材であるとして説明する。
【００３１】
図２は、ＨＤ／ＳＤ変換処理部１０２の構成を示すブロック図である。図２において、入力端子２０１は、例えば、選択部１０１でＶＴＲ４０１−１あるいは４０１−２のいずれかを選択した場合に、選択した方のＶＴＲ４０１−１あるいは４０１−２のいずれかの番組素材が供給される。入力端子２０１に供給される番組素材は、そのまま選択部２１５に出力されると共に、ＤＭＵＸ（demultiplexer）２０３とＨＤ／ＳＤ検出部２０４に供給される。なお、選択部２１５は、制御部２０５の制御により、入力端子２０１に供給される番組素材がＨＤ−ＳＤＩ方式のフォーマットの番組素材の場合、出力端子２０２に出力され、また、入力端子２０１に供給される番組素材がＳＤ−ＳＤＩ方式のフォーマットの番組素材の場合、出力端子２１２に出力されるように制御される。なお、制御信号入力端子２０８は、制御部１０３からの制御信号が入力される。また、本実施例では、制御部１０３と制御部２０５を分離して記載してあるが、一体に構成し、例えば、ＣＰＵで構成することができることは言うまでもない。
【００３２】
ここで、ＨＤ−ＳＤＩ方式のフォーマットの番組素材の信号とＳＤ−ＳＤＩ方式のフォーマットの番組素材の信号とを変換する必要性について図６、図７、図８を用いて説明する。まず、ＨＤ−ＳＤＩ方式のフォーマットの番組素材の信号は、ＡＲＩＢ  ＳＴＤ  ＢＴＡ  Ｓ−００５Ｂ（非特許文献２参照）およびＡＲＩＢ  ＳＴＤ  ＢＴＡ  Ｓ−００６Ｂ（非特許文献３参照）で定められている図６に示すような構成となっている。即ち、縦方向に映像のライン番号のように１〜１１２５ライン、横方向に映像のサンプル番号０〜２１９９と定められている。そして、映像ラインは、ＥＡＶ（End of Active Video：映像サンプル番号１９２０で示される。）で始まり、デジタル有効ライン（有効映像領域）の最後のワード（映像サンプル番号１９１９）で終了する。映像サンプル番号は、ビット並列インターフェースの各データ系列におけるデジタル有効ラインの第１ワードを映像サンプル番号０と規定されている。そして、この規格は、補助データパケットを伝送する機器に適用される。補助データとは、映像信号の水平ブランキング期間を利用して伝送されるデータ、例えば、音声データやタイムコードデータである。また、図６において、網掛け部分は、補助データ伝送領域を示す。この補助データ伝送領域は、ＨＤ−ＳＤＩ方式のフォーマットの番組素材の信号に重畳された音声信号が伝送される領域である。
また、ＳＤ−ＳＤＩ方式のフォーマットの番組素材の信号は、ＡＲＩＢ  ＳＴＤ  ＢＴＡ  Ｆ−１００２（非特許文献４参照）で定められる図８に示すような構成となっている。図６に示すＨＤ−ＳＤＩ方式のフォーマットの番組素材の信号と同様に、縦方向に映像のライン番号として示されるように１〜５２５ライン、横方向に映像のサンプル番号０〜１７１５と定められている。映像ラインは、ＥＡＶ（映像サンプル番号１４４０で始まり、デジタル有効ライン（有効映像領域）の最後のワード（映像サンプル番号１４３９）で終了する。そして網掛け部分は、例えば、音声データやタイムコードデータを伝送する補助データ伝送領域である。この補助データ伝送領域は、ＳＤ−ＳＤＩ方式のフォーマットの番組素材の信号に重畳された音声信号が伝送される領域である。
【００３３】
而して、上述した音声チャネルで伝送される音声信号には、ステレオ放送の右と左の音声、日本語と英語の放送、あるいは、主音声と副音声と言った種々の信号があるが、ここでは、ステレオの音楽や音声の放送の伝送について説明する。
【００３４】
地上波デジタル放送で使用されている高品質映像の放送にふさわしい臨場感の優れた音声サービスに、マルチチャネル音声再生方式がある。このマルチチャネル音声再生方式のスピーカ配置を図７を用いて説明する。図７において、８０１は、視聴者の位置を示す。８０２は、前方センタースピーカ、８０３は、前方右スピーカ、８０４は、前方左スピーカ、８０５は、後方センタースピーカ（サラウンドセンタースピーカとも言う。）、８０６は、後方右スピーカ、８０７は、後方左スピーカ、８０８は、低域補強用スピーカ（サブウーファとも言う。）を示す。
【００３５】
そして、チャネル再生の標準的な３−２ステレオ構成は、視聴者８０１の前方に３チャネル（前方センタースピーカ８０２、前方右スピーカ８０３、前方左スピーカ８０４とから構成）と、後方に２チャネル（後方右スピーカ８０６と後方左スピーカ８０７で構成）で構成されるものである。この場合は、５ＣＨでマルチチャネル音声が再生される。
【００３６】
さて、地上波デジタル放送は、このマルチチャネルに対応していることから、５．１サラウンドの再生が可能である。即ち、５．１サラウンドの配置は、上述の標準的な３−２ステレオ構成（５ＣＨ）に、更に、低域補強用スピーカ８０８を追加した構成であり、６ＣＨ構成となる。なお、後方センタースピーカ８０５を再生する場合には、更に、１ＣＨが追加され、７ＣＨのマルチチャネル音声再生が必要となる。
【００３７】
このようにＨＤ−ＳＤＩ方式のフォーマットで収録された番組素材の音声信号の再生には、臨場感の優れた音声サービスのために、５ＣＨ以上のマルチチャネル音声再生ができるように８ＣＨの音声伝送方式が採用されている。一方、ＳＤ−ＳＤＩ方式のフォーマットで収録された番組素材の音声信号は、４ＣＨ、即ち、例えば、前方右スピーカ８０３、前方左スピーカ８０４、後方右スピーカ８０６、後方左スピーカ８０７の４ＣＨサービスとなっている。
【００３８】
ここで、図２の説明に戻る。まず、入力端子２０１にＨＤ−ＳＤＩフォーマットの番組素材の信号が入力されると、ＨＤ／ＳＤ検出および音声処理部２１３にも供給される。ＨＤ／ＳＤ検出および音声処理部２１３のＨＤ／ＳＤ検出部２０４は、入力された番組素材の信号がＨＤか、ＳＤかのいずれのフォーマットかを検出する。ＨＤ−ＳＤＩフォーマットの番組素材あるいはＳＤ−ＳＤＩフォーマットの番組素材の場合、それぞれ図６および図８で説明したような構成となっており、例えば、各映像ラインのＥＡＶ（サンプル番号１９２０で始まる。）あるいはＳＡＶ（Start of Action Video）の位置がＨＤ−ＳＤＩフォーマットの番組素材とＳＤ−ＳＤＩフォーマットの番組素材とで異なっている。従って、これらを検出すれば、入力端子２０１に入力される番組素材がいずれのフォーマットの番組素材かを検出することができる。なお、ここでは、ＥＡＶあるいはＳＡＶの位置検出で説明したが、他の異なる情報として走査線情報、映像のサンプル番号等でも検出可能であるので、これらに限定されないことは言うまでもない。
【００３９】
例えば、説明の都合上、ＨＤ−ＳＤＩフォーマットの番組素材が検出されたとすると、その情報が制御部２０５に入力される。制御部２０５は、ＨＤ／ＳＤ検出部２０４からの情報に基いて、入力端子２０１に供給されている番組素材がＨＤ−ＳＤＩフォーマットの番組素材と判断し、ＤＭＵＸ２０３、ＭＵＸ（多重化部）２０６、マッピング処理部２０７、スイッチ２１１および選択部２１５を制御する。ＤＭＵＸ２０３は、例えば、ＦＰＧＡ（Field Programmable Gate Array）で構成されており、ＨＤ−ＳＤＩフォーマットの番組素材が入力されると、即ち、図６に示される構成の信号が入力されると、この信号を、ＨＤ−ＳＤＩフォーマットの映像信号と、８ＣＨの音声信号とに分離する。なお、ＦＰＧＡは、制御部２０５からの制御信号によってＨＤ−ＳＤＩフォーマットの番組素材を適宜処理するようにプログラムされている。
【００４０】
ＦＰＧＡで構成されるＤＭＵＸ２０３では、ＨＤ−ＳＤＩフォーマットの映像信号と８ＣＨの音声信号とに分離され、それぞれＭＵＸ２０６とマッピング処理部２０７に供給される。マッピング処理部２０７では、制御部２０５からの制御信号が供給され、ここで音声８ＣＨの音声信号を音声４ＣＨの音声信号に変換され、即ち、マッピングされ、ＭＵＸ２０６に供給される。このマッピング処理部２０７での音声信号変換は、例えば、５．１サラウンドの６ＣＨのマルチチャネル音声（ＨＤ−ＳＤＩフォーマットの８ＣＨ音声多重）の内、図７に示す前方右スピーカ８０３、前方左スピーカ８０４、後方右スピーカ８０６および後方左スピーカ８０７の４ＣＨを選択し、ＳＤ−ＳＤＩフォーマットの４ＣＨにマッピングする。所謂、チャネル乗せ替えを行う。
【００４１】
ＭＵＸ２０６は、例えば、ＦＰＧＡ（Field Programmable Gate Array）で構成されており、制御部２０５からの制御によりＨＤ−ＳＤＩフォーマットの番組素材を処理するようにプログラムされ、そのように動作する。即ち、ＤＭＵＸ２０３で分離されたＨＤ−ＳＤＩフォーマットの映像信号と、マッピング処理部２０７で４ＣＨの音声信号に変換された音声信号とをＭＵＸ（多重化部）２０６で多重化し、その出力がＨＤ／ＳＤフォーマット変換部２１４に供給される。ＨＤ／ＳＤフォーマット変換部２１４では、ＭＵＸ２０６の出力がダウンコンバータ２０９に供給され、ここでＳＤ−ＳＤＩフォーマットの番組素材にフォーマット変換される。そして、制御部２０５による番組素材のフォーマットに応じて制御されるスイッチ２１１によって選択、例えば、上記の場合、端子ａが選択され、更に、選択部２１５で選択され、出力端子２１２から出力される。
【００４２】
従って、出力端子２０２からはＨＤ−ＳＤＩフォーマットの番組素材が出力され、この出力は、エンコーダ４０５−１を介してビデオサーバー４０７のＨＤ入力端子４０８−１に供給され、ＨＤ用記憶部４０９−１に蓄積される。一方、出力端子２１２からの出力は、ＳＤ−ＳＤＩフォーマットに変換された番組素材であり、エンコーダ４０５−２でエンコードされ、ビデオサーバー４０７のＳＤ用入力端子４０８−２から例えば、ＳＤ用記録装置４０９−３に記憶される。従って、記録装置ＶＴＲ−１のＨＤ−ＳＤＩフォーマットの番組素材は、ビデオサーバ４０７には、ＨＤ−ＳＤＩフォーマットの番組素材と、ＳＤ−ＳＤＩフォーマットの番組素材とが記憶されることとなる。
【００４３】
次に、ＤＭＵＸ２０３、ＭＵＸ２０６およびマッピング処理部２０７の具体的な構成の一実施例を図３を用いて説明する。図３において、入力端子３０１には、図２で説明した入力端子２０１からの信号が印加される。本実施例では、記録装置ＶＴＲ−１からのＨＤ−ＳＤＩフォーマットの番組素材が供給され、ＤＭＵＸ２０３で映像信号と音声信号に分離される。分離された映像信号は、遅延回路３０２、位相調節回路３０３を介してＭＵＸ２０６に供給される。
【００４４】
ＤＭＵＸ２０３で分離された音声信号は、２つのチャネルがチャネルペアＣＰを構成した信号、例えば、１ＣＰ（チャネル１とチャネル２）、２ＣＰ（チャネル３とチャネル４）、３ＣＰ（チャネル５とチャネル６）、４ＣＰ（チャネル７とチャネル８）の信号であるため、チャネル分割部３０４で８ＣＨ（チャネル）にそれぞれ分離し、チャンネル単位のデジタル音声に変換する。
【００４５】
選択回路（Digital Audio Matrix）３０５は、チャンネル単位のデジタル音声を適宜チャネルを選択し、ダウンミクス回路３０６に供給する。例えば、前述した５．１ＣＨサラウンドのダウンミックス処理は、ダウンミクス回路３０６で行う。この場合、ダウンミックスを行うべき６ＣＨ分のオーディオがどのチャネルに位置しても対応できるようにするため、選択回路（Digital Audio Matrix）３０５は、８×６のマトリックス構成とし、適宜オーディオチャネルの選択ができるように構成されている。
【００４６】
ダウンミクス回路３０６は、５．１ＣＨサラウンドを２ＣＨ音声にダウンミクスする。例えば、５．１ＣＨサラウンドの６ＣＨある音声を２チャネル信号に変換する。マトリックス回路部（Digital Audio Matrix）３０７は、５．１ＣＨサラウンドをダウンミックスした２ＣＨ音声信号およびチャネル分割部３０４からの元素材の音声を１０×８のマトリクス回路３０７にてチャンネル単位でマッピングし、例えば、４ＣＨの音声信号にする。このように所望のチャネルに音声処理（マッピング）されたデジタル音声信号は、遅延回路３０８、位相調節回路３０３を介してチャネル結合部３０９に供給され、ここで２チャネルづつチャネル結合され、ＭＵＸ２０６に供給される。ＭＵＸ２０６では、前述と同様に映像信号に音声信号が埋め込まれた多重化された信号として出力端子３１０から出力され、ダウンコンバータ２０９に供給される。なお、上記のように各種デジタル処理が行われる音声信号は、遅れが生じたり、また、ＤＭＵＸ２０３にて分離された映像信号と音声信号との間には、位相差が生じる。そのため遅延回路３０２、３０８および位相調節回路３０３を挿入し、映像信号および音声信号の遅延差や位相差を合わせるようにしている。
【００４７】
次に、図１において、選択部１０１が記録装置ＶＴＲ４０１−２、即ち、ＳＤ−ＳＤＩフォーマットの番組素材を選択した場合について説明する。この場合、図２の入力端子２０１には、ＳＤ−ＳＤＩフォーマットの番組素材が入力され、その信号は、直接選択部２１５に供給されるが、この場合、制御部２０５により選択部２１５が制御され、出力端子２１２からＳＤ−ＳＤＩフォーマットの番組素材が出力される。また、同じ信号がＤＭＵＸ２０３およびＨＤ／ＳＤ検出部２０４にも供給される。ＨＤ／ＳＤ検出部２０４は、入力された番組素材の信号がいずれのフォーマットかを検出する。ＳＤ−ＳＤＩフォーマットの番組素材の信号の場合、図８で説明したような構成となっており、例えば、各映像ラインのＥＡＶ（映像サンプル番号１４４０で始まる。）、ＳＡＶ（Start of Action Video）の位置等を検出し、その情報を制御部２０５に入力する。制御部２０５は、ＨＤ／ＳＤ検出部２０４からの情報に基いて、入力端子２０１に供給されている番組素材がＳＤ−ＳＤＩフォーマットの番組素材と判断し、ＤＭＵＸ２０３を制御する。ＤＭＵＸ２０３は、前述したように、例えば、ＦＰＧＡ（Field Programmable Gate Array）で構成されており、ＳＤ−ＳＤＩフォーマットの番組素材が入力され、処理される。即ち、図８に示される構成の信号が入力されると、この信号がＳＤ−ＳＤＩフォーマットの映像信号と音声信号とに分離される。
【００４８】
ＤＭＵＸ２０３で分離された映像信号は、ＭＵＸ（多重化部）２０６に供給される。一方、ＤＭＵＸ２０３で分離された音声信号は、マッピング処理部２０７に入力され、４ＣＨの音声信号を８ＣＨの音声信号に変換する。但し、ＳＤ−ＳＤＩフォーマットの番組素材に重畳されている音声信号は、最大４ＣＨ分の音声信号が存在するのみであるので、形式的に８ＣＨの音声信号に変換されるが、例えば、最大４ＣＨ分の音声信号が存在するのみの場合や、各音声信号を２ＣＨ分ずつ出力することで８ＣＨの音声信号とする場合がある。このように変換された音声信号は、ＭＵＸ２０６に供給され、ここで映像信号と多重化される。なお、ＭＵＸ２０６は、前述したように、例えば、ＦＰＧＡ（Field Programmable Gate Array）で構成されており、制御部２０５からの制御によりＳＤ−ＳＤＩフォーマットの番組素材の処理回路として動作する。即ち、ＤＭＵＸ２０３で分離されたＳＤ−ＳＤＩフォーマットの映像信号と、マッピング処理部２０７で８ＣＨの音声信号に変換された音声信号とを多重化し、その出力がアップコンバータ２１０に供給され、ここでＨＤ−ＳＤＩフォーマットの番組素材にフォーマット変換される。そして、制御部２０５により番組素材のフォーマットに応じて制御されるスイッチ２１１（端子ｄ選択）、更に、選択部２１５で選択され、出力端子２０２から出力される。
【００４９】
従って、出力端子２１２からはＳＤ−ＳＤＩフォーマットの番組素材が出力され、この出力は、エンコーダ４０５−２を介してビデオサーバー４０７のＳＤ入力端子４０８−２に供給され、ＳＤ用記憶部４０９−３に蓄積される。一方、出力端子２０２からの出力は、ＨＤ−ＳＤＩフォーマットに変換された番組素材であり、エンコーダ４０５−１でエンコードされ、ビデオサーバー４０７のＨＤ用入力端子４０８−１から例えば、ＨＤ用記録装置４０９−１に記憶される。従って、記録装置ＶＴＲ−２のＳＤ−ＳＤＩフォーマットの番組素材は、ビデオサーバ４０７には、ＳＤ−ＳＤＩフォーマットの番組素材と、ＨＤ−ＳＤＩフォーマットの番組素材とが記憶されることとなる。
【００５０】
なお、ＤＭＵＸ２０３、ＭＵＸ２０６およびマッピング処理部２０７の具体的な構成の一実施例は、前述と同様に図３に示す回路である。この回路は、前述の場合、８ＣＨの音声信号を４ＣＨの音声信号にチャネル変更（載せ替え）について説明したが、これと同様に４ＣＨの音声信号を８ＣＨの音声信号にチャネル変更（載せ替え）し、ＭＵＸ２０６で多重化される。なお、詳細な説明は、省略する。
【００５１】
以上説明した実施例では、ＨＤ―ＳＤＩフォーマットの番組素材とＳＤ―ＳＤＩフォーマットの番組素材の２種類についてのフーマット変換処理について説明したが、２種類のフーマット変換処理に限られるものではなく、ＨＤ―ＳＤＩフォーマット、ＳＤ―ＳＤＩフォーマット以外のフォーマットの番組素材についても同様にして、入力される信号構成からいかなるフォーマットの番組素材かを検出し、ＨＤ―ＳＤＩフォーマット、ＳＤ―ＳＤＩフォーマット等にフォーマット変換可能である。
【００５２】
以上のように本発明のノンリニア放送システムおよびそれに用いる変換装置は、ＤＭＵＸおよびＭＵＸは、それぞれＨＤ−ＳＤＩか、ＳＤ−ＳＤＩかを検出してそれぞれのフォーマットに対応できるように構成したために入力ＳＤＩのフォーマットを選ぶ必要がなく、ＨＤ―ＳＤＩフォーマットの番組素材とＳＤ―ＳＤＩフォーマットの番組素材との混在した番組素材を利用できるので、編集や放送システムにおいて極めて取扱の容易なシステムが実現できる。
【００５３】
以上、本発明について詳細に説明したが、本発明は、ここに記載されたノンリニア放送システムおよびそれに用いる変換装置の実施例に限定されるものではなく、上記以外のノンリニア放送システムおよびそれに用いる変換装置に広く適応することが出来ることは、言うまでも無い。
【図面の簡単な説明】
【００５４】
【図１】本発明の一実施例の概略構成のブロック図を示す。
【図２】図１に示す一実施例のＨＤ／ＳＤ音声変換処理部の一例を示すブロック図である。
【図３】図２に示す一実施例のＤＭＵＸ、ＭＵＸ，マッピング処理部の一例を示す概略構成図である。
【図４】従来のノンリニア放送システムの一例の概略構成のブロック図を示す。
【図５】図４に示す一例のＨＤ／ＳＤ変換処理部の一例を示すブロック図である。
【図６】本発明の一実施例の動作を説明するためのＨＤ−ＳＤＩフォーマットの信号構成を示す図である。
【図７】本発明の一実施例を説明するためのスピーカ配置を示す図である
【図８】本発明の一実施例の動作を説明するためのＳＤ−ＳＤＩフォーマットの信号構成を示す図である。
【符号の説明】
【００５５】
１０１、４０２：スイッチャ、１０２、４０４：ＨＤ／ＳＤフォーマット変換処理部、１０３、２０５、４０３、４０６：制御部、２０１、３０１、５０１、５２０：入力端子、２０２、２１２、３１０、４１１、５１０、５１８：出力端子、２０３：ＤＭＵＸ、２０４：ＨＤ／ＳＤ検出部、２０６：ＭＵＸ、２０７、５０７：マッピング処理部、２０８、５１１：制御信号入力端子、２０９：ダウンコンバータ、２１０：アップコンバータ、２１１、５１６、５１７：スイッチ、２１４：フォーマット変換部、２１５：選択部、３０２、３０８：遅延回路、３０３：位相調整回路、３０４：ＣＨ分割部、３０５：選択回路、３０６：ダウンミクス回路、３０７：マトリックス回路部、３０９：ＣＨ結合部、４０１：記録装置、４０５：エンコーダ、４０７：ビデオサーバー、４０８：入力部、４０９：記憶部、４１０：システムチェンジャー、４１２：モニタ、４１３：オーヂオモニタ、５０３：ＨＤ−ＤＭＵＸ、５０４、５１３：映像信号、５０５、５０８、５１４、５１５：音声信号、５０３：ＨＤ−ＭＵＸ、５０６：ＳＤフォーマット変換部、５０９、５２１：音声多重部、５１２：ＳＤ−ＤＭＵＸ、５１４：ＨＤフォーマット変換部、８０１：視聴者、８０２：前方センタスピーカ、８０３：前方右スピーカ、８０４：前方左スピーカ、８０５：後方センタースピーカ、８０６：後方右スピーカ、８０７：後方左スピーカ、８０８：低域補強用スピーカ。
【図１】
2006203738.tif 000003
【図２】
2006203738.tif 000004
【図３】
2006203738.tif 000005
【図４】
2006203738.tif 000006
【図５】
2006203738.tif 000007
【図６】
2006203738.tif 000008
【図７】
2006203738.tif 000009
【図８】
2006203738.tif 000010